(57)【特許請求の範囲】
【請求項１】
底面（２３）とその底面（２３）の周囲に立ち上がる周面（２１）とを有する上面開放型の箱形状を成す荷籠（２０）を、その荷籠（２０）の前記周面（２１）の一つをゴルフカート（３０）の支柱（３１）に当接させ、その当接部において前記荷籠（２０）と支柱（３１）とを固定具（２２）で固定したゴルフカート（３０）の荷籠（２０）の外周に被せる荷籠のカバー（１０）であって、
前記カバー（１０）は可撓性を有するシートで形成されて、底面（６）とその底面（６）の周囲に立ち上がる周面とを有して前記荷籠（２０）を覆う箱形状をなしており、前記カバー（１０）の周面のうち前記支柱（３１）に当接する周面（２１）に対応する背面（１ａ）の、前記固定具（２２）で固定して取り付ける領域に対応する部分がその背面（１ａ）の上縁から下縁に亘って連続して切り欠かれており、その背面（１ａ）の切り欠き（５）に連続して、前記底面（６）並びに前記カバー（１０）の周面のうち前記背面（１ａ）に対向する前面（３）を経てその前面（３）の上縁に至る帯状の切り欠き（７）が形成されており、その帯状の切り欠き（７）は、その対向縁同士が互いに係着自在となっており、
前記背面（１ａ）の上縁に前記荷籠（２０）の上面を開閉自在に覆う蓋（２）が延設されて、前記蓋（２）は、前記背面（１ａ）の切り欠き（５）を挟む両側で前記背面（１ａ）の上縁に連結されており、前記帯状の切り欠き（７）の対向縁同士の係着を解除した状態において、前記背面（１ａ）の切り欠き（５）及び前記帯状の切り欠き（７）を境に前記底面（６）及びその底面（６）の周囲に立ち上がる周面を両側に押し広げることにより前記カバー（１０）を前記荷籠（２０）の外周に着脱可能としたことを特徴とするゴルフカートの荷籠のカバー。
【発明の詳細な説明】
【０００１】
【発明の属する技術分野】
この発明は、ゴルフカートの荷籠のカバーに関する。
【０００２】
【従来の技術】
図５に示すように、ゴルフカート３０の後部の支柱３１には荷籠２０が取り付けられており、この荷籠２０にはさらに、雨除け等のため、それを覆う箱形状のカバーが取り付けられているものがある。
【０００３】
その場合、従来のカバーは、底面も含めて荷籠２０全体を覆い、荷籠２０をゴルフカート３０に取り付けてしまうと、取り外しができない形のものになっている。この場合、カバーには、荷籠２０の周面と上部開口に対応する面の境界にファスナーやマジックテープ等の開閉機構が設けられており、その開閉機構で上部開口を露出させることにより、荷籠２０に荷物を出し入れするようになっている。
【０００４】
【発明が解決しようとする課題】
上記したように、従来のカバーは、それを荷籠２０から外す際、一々荷籠２０をゴルフカート３０の支柱３１から取り外さねばならず不便である。特に、荷籠２０に重い物が入れられている場合の取り外しは面倒である。
【０００５】
そこで、この発明の課題は、ゴルフカートの荷籠のカバーに付き、荷籠をゴルフカートに取り付けた状態で着脱自在とすることにある。
【０００６】
【課題を解決するための手段】
上記課題を解決するために、この発明のカバーは、前記荷籠を覆う箱形状をなし、その箱形状の前記荷籠を取付ける側の一周面に対応する周面の、前記固定具で固定して取り付ける領域に対応する部分が切り欠かれており、その切り欠きに連続して、底面並びに前記周面の対向面を経てその対向面と上面の境界に至る帯状の切り欠きが形成されており、その帯状の切り欠きは対向縁が互いに係着自在となっているようにしたのである（請求項１）。
【０００７】
このようにしたことにより、前記固定具で固定して取り付ける領域に対応する部分の切り欠きと帯状の切り欠きによってカバーの底面と周面を両側に押し広げることができ、その状態で荷籠の上方からカバーを被せて取り付けることができ、前記固定具で固定して取り付ける領域に対応する部分の切り欠きにより、取付け部と干渉させないようにでき、帯状の切り欠きの対向縁を互いに係着させることにより、カバーの上方への抜き取りが阻止できる。
【０００８】
上記構成において、上記箱形状の上面を上記周面に対し、開閉自在と成るようにした（請求項２）構成とすることができ、そうすることにより、カバーを荷籠に取り付けたまま、荷籠に荷物を出し入れすることができる。
【０００９】
【実施の形態】
以下、図を参照してこの発明の実施の形態を説明する。先ず、図１に示すように、この実施形態のカバー１０が取り付けられる荷籠２０は、ステンレス性の網板で形成され、概ね長手の直方体を成し、その上面は開口しており、背面２１ａが他の周面２１より上方に延設された形となっている。この背面２１ａの延設部２１ｂが前記従来例の項で示したゴルフカート３０（図５参照）後部のＹ字状支柱３１の分岐部に取付ける領域となっており、荷籠２０は、その延設部２１ｂに上下二段に亘って配設された帯状の当て板２２、２２を介し、ねじ止めで前記支柱３１に固定されている。
【００１０】
他方、図１乃至図４に示すこの実施形態のカバー１０は、耐候性を有する可撓性のシートで形成され、前記荷籠２０の周面２１と底面２３を覆う形の箱形状を成し、背面１ａの上縁からは荷籠２０の開口面を覆う形で蓋２が延設されている。この蓋２の前縁２ａとカバー１０の前面３には、蓋２を閉じた後、それを固定しておくための対のマジックテープ４が設けられている。
【００１１】
また、カバー１０の背面１ａには、荷籠２０をゴルフカートに取り付ける際の取付け領域に対応する逆台形形状の切り欠き５が設けられている。
【００１２】
そして、その切り欠き５の下縁、すなわち、背面１ａと底面６の境界から連続して、底面６並びに前面３を通り、前面３の上縁を突き切る形の帯状の切り欠き７が延設されている。
【００１３】
その帯状の切り欠き７にはファスナー７ａが設けてあり、このファスナー７ａにより、切り欠き７を閉じるようになっている。このファスナー７ａの付いた切り欠き７にはファスナー７ａの開始端と終端それぞれの近傍に切り欠き方向に交差してマジックテープ８、８が設けてあり、ファスナー７ａによる係着作用を補強している。以上がこの実施形態のカバー１０の形状であるが、その荷籠２０への取付けは、以下のようにして行う。
【００１４】
先ず、荷籠２０のゴルフカートへの取付け領域に対応する部分の切り欠き５と帯状の切り欠き７を利用してカバー１０の底面６と周面１を両側に押し広げ、その部分を荷籠２０の左右方向から挟み込むようにしてカバー１０を被せる。
【００１５】
そして、帯状の切り欠き７のファスナー７ａを閉め、カバー１０を荷籠２０に固定する。このような構成であるので、カバー１０の上方への抜き取りが阻止できる。
【００１６】
カバーを取り外す際は、ファスナー７ａを解除し、前記取付け時と反対の要領で、カバー１０の底面６と周面１を両側に押し広げ、荷籠２０をゴルフカート３０に取り付けたままカバー１０を上方へ引き上げて取り外すことができる。
【００１７】
なお、この実施形態では、荷籠２０に対するカバー１０の固定をより確実にするため、図２（ｂ）に示すような公知の係止具９によりカバー１０を固定している。
【００１８】
また、図１に示すカバー１０の前面３、両コーナー部に一点鎖線で示すように、前面３の上縁から水平方向に張り出す延設部１ｂ、１ｂを設けるようにすれば、この延設部１ｂにより、カバー１０が下方へずり落ちるのを防ぐことができ、最寄りに設けられている係止具９も不要となる。
【００１９】
【発明の効果】
以上説明したように、この発明のゴルフカートの荷籠のカバーは、荷籠をゴルフカートに取り付けた状態で着脱できる。
【図面の簡単な説明】
【図１】荷籠とこの実施形態のカバーを示す斜視図
【図２】（ａ）に実施形態のカバーを荷籠に取り付けた状態を斜視図で示し、（ｂ）にカバーの固定をより確実にするための公知の係止具を側面図で示したもの
【図３】（ａ）に正面を、（ｂ）に右側面を、（ｃ）に底面を示した実施形態の図
【図４】（ａ）に平面を、（ｂ）に背面を示した実施形態の図
【図５】後部の支柱に荷籠が取り付けられたゴルフカートを示す斜視図
【符号の説明】
１、２１  周面
１ａ、２１ａ  背面
１ｂ  延設部
２  蓋
３  前面
４、８  マジックテープ
５、７  切り欠き
６  底面
７ａ  ファスナー
１０  カバー
２０  荷籠
３０  ゴルフカート
【図１】
0003923142.tif 000002
【図２】
0003923142.tif 000003
【図３】
0003923142.tif 000004
【図４】
0003923142.tif 000005
【図５】
0003923142.tif 000006